(57)【特許請求の範囲】
【請求項１】
マイクロコンピュータに制御されて尿比重と尿量を測定するための尿自動測定装置であって、
尿を一時的に蓄える計量容器と、
計量容器に一時的に蓄えた尿を患者毎に分けて蓄えるサンプル容器と、
各サンプル容器の尿の一部を各々採取しておくスピッツ管と、
一定時刻になると各サンプル容器に蓄えられた尿の一部を各スピッツ管に移した後、サンプル容器を回転転倒させて各サンプル容器を洗浄することを特徴とする尿自動測定装置。
【請求項２】
サンプル容器を洗浄排水室内で回転可能に固定する容器台と、
回転転倒したサンプル容器に向け洗浄液を噴出する容器洗浄ノズルと、
回転転倒したサンプル容器に向け圧縮空気を噴出する空気ノズルとを備え、
マイクロコンピュータは、容器洗浄ノズルから洗浄液を噴出させ、洗浄液の噴出停止後に空気ノズルから圧縮空気を噴出させる制御機能を有することを特徴とする請求項１に記載した尿自動測定装置。
【請求項３】
気液両用ポンプを備え、
気液両用ポンプは、計量容器に収容された尿又は洗浄液を、分配管を介してサンプル容器に移送し、計量容器に収容された洗浄液をサンプル容器に移送した後、空気を吸引し、吸引した空気を分配管を介して排出することで分配管内部に残った水分を除去するように構成されている、請求項１または２に記載の尿自動測定装置。
【発明の詳細な説明】
【０００１】
【発明の属する技術分野】
本発明は、入院患者などの尿量や尿比重を自動測定する装置に関するものである。
【０００２】
【従来の技術】
今日、病院では、各病室に設けられる洗面所などに自動的に特定の患者の尿を検査測定する装置が設置されるようになってきた。
この尿自動測定装置は、患者が排尿を行ったとき、この尿の比重や容量を自動計測して記録すると共にナースセンターなどに測定結果を送信し、且つ、尿の一部を溜めておき、別途精密測定を行えるようにする装置である。
【０００３】
この尿自動測定装置の一例としては、図４に示すように、正面の上方に液晶パネル17を有すると共に複数個のカップ挿入扉21を備え、下方にはサンプル容器取出し扉71を備えた尿自動測定装置10とされるものが有る。
この尿自動測定装置10では、図５に示すように、上部にマイクロコンピュータ15を内蔵し、液晶パネル17に操作ガイドの表示を行うと共に、所定の患者の尿を採取した採尿カップ31をカップ挿入扉21に取り付けてカップルーム25に挿入したとき、マイクロコンピュータ15によって自動的に尿量や尿比重の測定を行いつつ尿の一部を患者毎に分けてサンプル容器75に残すように制御しているものである。
【０００４】
この尿自動測定装置10の内部構造としては、カップ挿入扉21の内側に採尿カップ31を固定するカップホルダー23を有し、カップ挿入扉21の下端をヒンジ構造としてカップ挿入扉21を開閉可能としている。
そして、カップ挿入扉21の上方を引き出してカップ挿入扉21を略水平に開き、カップホルダー23に採尿カップ31を固定してカップ挿入扉21を閉じると、採尿カップ31をカップルーム25内で転倒傾斜させ、採尿カップ31内の尿をカップルーム25に排出させることができるようにされている。
【０００５】
尚、カップ挿入扉21を横開き式や引出し式とし、カップ挿入扉21の裏側のカップホルダー23に採尿カップ31を固定してカップ挿入扉21を閉じると、カップホルダー23がカップルーム25内にスライドして採尿カップ31をカップルーム25内に引き込み、採尿カップ31をカップルーム25内に引き込んだ後、採尿カップ31を回転転倒させて採尿カップ31内の尿をカップルーム25に排出させるものもある。
【０００６】
そして、カップルーム25は、その内部にカップ洗浄ノズル28やルーム洗浄ノズル27を有し、又、カップルーム25の底壁を傾斜させてカップルーム25内に排出された尿などの液体を略垂直な誘導口35に流すことができるようにしている。
この誘導口35は、計量容器41にカップルーム25内の尿などの液体を導くもので有り、計量容器41は、感圧素子を備えた容器支持台45で支持し、液面測定器47の測定端子48を内側に備えると共に、底部中央にはバルブを備えた排尿口42を有するものである。
【０００７】
更に、排尿口42の下方には略垂直な流下管61を有し、バルブ制御器46により排尿口42から計量容器41内の液体を排出したとき、この液体を分配管63に導くことができるようにしている。
この分配管63は、揺動又は回動により分配管63の下端位置を移動させることができるように分配管63の上端近くが軸支され、分配制御器64に内蔵したモーターによって分配管63の下端位置を移動させるように揺動又は回動するものである。
【０００８】
尚、４人の患者の尿を測定する尿自動測定装置10では、この分配管63の下方位置であって、サンプル容器取出し扉71の内側に設けられている容器取付部73に４個のサンプル容器75を並べて収納固定可能とし、分配管63の下端は、この容器取付部73に固定した各サンプル容器75の上方位置と、サンプル容器75から外れた廃棄位置である図面に示されない廃棄管の上方位置とに移動するように制御されるものである。
【０００９】
そして、この尿自動測定装置10では、マイクロコンピュータ15に登録された患者の尿を入れた採尿カップ31を所定の患者用のカップ挿入扉21の内側に取りつけてカップ挿入扉21を閉じたとき、マイクロコンピュータ15は所定時間後に容器支持台45に設けた感圧素子からの信号によって尿重量を測定し、液面測定器47からの信号によって計量容器41内の液面高さ、即ち尿量を測定し、両測定値から尿比重を算出して尿量と尿比重を算出する。
【００１０】
尚、この尿量と尿比重の値は、計測時刻と合わせて記憶しておくと共に、１日分の尿量として前回の尿量に今回の尿量を加算した値と合わせてナースセンターなどの親機に送信することも有る。
更に、マイクロコンピュータ15は、開閉されたカップ挿入扉21に合わせたサンプル容器75の位置に分配管63の下端を合わせるように分配制御器64を制御し、バルブ制御器46を制御して計量容器41中の尿の一部だけを計量容器41の排尿口42から流下管61に排出させる。
【００１１】
その後、分配管63の下端を廃棄管の上方に移動させ、バルブ制御器46を制御して計量容器41の排尿口42を開放することにより計量容器41に残った尿を排出させると共に、カップルーム25のカップ洗浄ノズル28やルーム洗浄ノズル27から洗浄液を噴出させ、カップルーム25や誘導口35及び計量容器41や流下管61更には分配管63に残留付着する尿分などを洗い流す。
【００１２】
尚、洗浄液は、水道水に洗浄剤を混入した洗浄液を図面に示していない洗浄液タンクに蓄え、図面に示していないポンプ及び配管により洗浄液タンクの洗浄液をカップルーム25のカップ洗浄ノズル28やルーム洗浄ノズル27に送るものや、水道水の水圧を利用し、図面に示さないバルブを有する配管により水道水をカップ洗浄ノズル28やルーム洗浄ノズル27に導くものとし、配管内を流れる流水中に洗浄剤を適宜混入してカップ洗浄ノズル28やルーム洗浄ノズル27から噴出させるものが有る。
【００１３】
又、計量容器41に残った尿やカップルーム25から流れた洗浄液は、分配管63の下端を廃棄位置である廃棄管の上方に位置させているため、図示しない廃棄管を通して排水口から尿自動測定装置10の外部に排出するものが多い。
このように、この尿自動測定装置10では、マイクロコンピュータ15に登録された患者の排尿毎に尿比重や尿量を測定時刻と合わせて記録し、毎回の測定毎に１０ミリリットル程度をサンプル容器75に残すことができ、１日に１回、サンプル容器75に集めた患者毎の尿を取出して病状に合わせた精密測定を別途に行うことができる。
【００１４】
尚、図４に示した尿自動測定装置10は、カップ挿入扉21が複数個設けられ、各カップ挿入扉21で使用する患者を定めているも、カップ挿入扉21を１個とし、タッチパネルなどの操作により患者を特定するものや、採尿カップ31に患者識別用のバーコードを貼り付け、バーコードリーダーで患者を識別して特定し、各患者の尿比重や尿量の測定を行うと共に、尿の一部を患者毎に分けてサンプル容器75に残すようにするものも有る。
【００１５】
【発明が解決しようとする課題】
前述の様に、複数患者の尿を自動測定して一部をサンプル容器に残す尿自動測定装置では、異なる患者の尿の測定を短時間の内に続けて行うことになることも有る。
このとき、流下管や分配管は極力鉛直に配置して内部に水分が残らないようにされているも、前の患者の尿測定に続いて別の患者の尿を測定するとき、この後の患者の尿の一部をサンプル容器に溜める際、流下管や分配管の内部に洗浄液の水滴などが残っていることも有り、サンプル容器に取出す尿に洗浄液等が不純物として混入されることとなり、サンプル容器に取出す尿の量が少ないため、別途に行う精密検査に影響を及ぼすことが有った。
【００１６】
又、サンプル容器から精密測定用に尿を別容器に取出すことは、１台の尿自動測定装置に関しては短時間で行えるも、患者数の多い病院では、全ての患者の尿を採取するのに多くの時間と人手が必要となり、患者が排尿を行わない深夜や早朝での採取が困難となり、昼間に採取を行うと、患者に不便や不快感などを感じさせることも有った。
【００１７】
本発明はこのような欠点を排除し、不純物濃度を極力低くした複数患者の尿サンプルを残して正確な精密測定を可能とすると共に、尿サンプルの取出しを容易として患者や看護婦など関係者の負担を軽くすることのできる尿自動測定装置を提供するものである。
【００１８】
【課題を解決するための手段】
第１の観点から、本発明は、マイクロコンピュータ(15)に制御されて尿比重と尿量を測定するための尿自動測定装置(10)であって、尿を一時的に蓄える計量容器(41)と、計量容器(41)に一時的に蓄えた尿を患者毎に分けて蓄えるサンプル容器(75)と、各サンプル容器(75)の尿の一部を各々採取しておくスピッツ管(105)と、一定時刻になると各サンプル容器(75)に蓄えられた尿の一部を各スピッツ管(105)に移した後、サンプル容器(75)を回転転倒させて各サンプル容器(75)を洗浄することを特徴とする。
【００１９】
このように、サンプル容器（75）とスピッツ管（105）を内蔵しているため、1日分の尿をサンプル容器（75）に蓄え、一定時刻になるとサンプル容器（75）に蓄えた尿の一部をスピッツ管（105）に移してサンプル容器（75）を洗浄する故、洗浄時刻を患者が当該尿自動測定装置（10）を利用する可能性が低い時刻としつつ精密測定に必要な尿サンプルをスピッツ管（105）に残し、新たな１日分の尿をサンプル容器（75）に蓄えることができる。
【００２０】
上記第１の観点における発明においては、サンプル容器(75)を洗浄排水室(91)内で回転可能に固定する容器台(81)と、回転転倒したサンプル容器(75)に向け洗浄液を噴出する容器洗浄ノズル(93)と、回転転倒したサンプル容器(75)に向け圧縮空気を噴出する空気ノズル(94)とを備え、マイクロコンピュータは、容器洗浄ノズル(93)から洗浄液を噴出させ、洗浄液の噴出停止後に空気ノズル(94)から圧縮空気を噴出させる制御機能を有することを特徴とする。
【００２１】
このように、サンプル容器（75）の転倒位置に合わせて容器洗浄ノズル（93）と空気ノズル（94）とを備えているため、サンプル容器（75）を転倒させてサンプル容器（75）の開口部を下方に向けた状態で容器洗浄ノズル（93）から洗浄液を噴出させることができる。
従って、洗浄後の洗浄液をサンプル容器（75）から確実に排出することができ、且つ、空気ノズル（94）を有すると共に洗浄液噴出停止後に空気噴出制御をマイクロコンピュータの制御によって行うことができるようにしているため、圧縮空気の噴出によってサンプル容器（75）内に水滴などが残らないようにすることができる。
【００２２】
上記第１の観点における発明においては、気液両用ポンプを備え、気液両用ポンプは、計量容器(41)に収容された尿又は洗浄液を、分配管(63)を介してサンプル容器(75)に移送し、計量容器(41)に収容された洗浄液をサンプル容器(75)に移送した後、空気を吸引し、吸引した空気を分配管を介して排出することで分配管(63)内部に残った水分を除去するように構成されている。
【００２３】
このように、採尿ポンプ（65）として気液両用ポンプを用いているため、尿や洗浄液などの液体のみでなく、空気も計量容器（41）から吸込むことができ、計量容器（41）内の洗浄液を吸込んで分配管（63）の下端までの流路を洗浄した後、空気を吸い込んで流路内を乾燥させることができる。
従って、短時間に続けて計量容器（41）から次の尿を採取する場合にも、採取した尿に不純物を混ぜたり水分により尿を薄くするおそれを無くすことができる。
【００２４】
【発明の実施の形態】
本発明に係る尿自動測定装置の実施の形態は、内部にマイクロコンピュータを内蔵し、正面に液晶表示パネルや複数のカップ挿入扉を有することは従来と同様である。
そして、図１に示すように、尿自動測定装置10の正面下方には、２つの扉を備え、従来と同様のサンプル容器取出し扉71の下方に、更にスピッツ管取出し扉101を備えるものである。
【００２５】
そして、図２に示すように、カップルーム25や誘導口35、及び、計量容器41や容器支持台45は従来と略同様であるも、計量容器41の内部には、吸込み口52を計量容器41の排尿口42の近くに位置させた吸上げパイプ51と、吸入パイプ及び排出パイプを組み合せた採尿管56とを設けている。
この採尿管56は、計量容器41内の液体を吸上げる吸入パイプと、吸入パイプから吸上げられて密度比重測定器55の内部を通過した液体を計量容器41に戻す排出パイプとを組合せたものである。
【００２６】
従って、密度比重測定器55に組み込む循環ポンプにより採尿管56の吸入パイプから計量容器41中の尿を吸い上げ、この尿を密度比重測定器55内の測定流路を通過させて超音波により尿比重を測定し、採尿管56の排出パイプから計量容器41に尿を戻すことができる。
又、この採尿管56により、尿比重や尿量の測定後、計量容器41内の尿を排出して洗浄液を計量容器41に溜めたときは、この洗浄液を吸入パイプから密度比重測定器55を通して排出パイプに循環させ、密度比重測定器55の流路を洗浄することもできる。
【００２７】
そして、吸上げパイプ51は、採尿ポンプ65の吸込み口に接続し、採尿ポンプ65の吐出口は、接続管67を介して分配管63に接続している。
尚、この採尿ポンプ65には気液両用ポンプを用いるもので有る。
又、分配管63は、その下端位置を各患者用のサンプル容器75の上方位置と廃棄位置とに位置させるように、分配制御器64によって下端位置を変えるように揺動又は回動させることができるものであること、及び、この分配管63の下端位置の制御は、マイクロコンピュータ15によるものであることは従来と同様である。
【００２８】
そして、本発明に係る尿自動測定装置10では、計量容器41の排尿口42の下方に設ける流下管61は、洗浄排水室91に開口させている。
この洗浄排水室91は、サンプル容器75を回動転倒させることを可能とする広さの空間とし、前方にサンプル容器取出し扉71を位置させ、このサンプル容器取出し扉71の内側でサンプル容器取出し扉71と一体とされた容器取付部73に容器台81を設け、サンプル容器75をこの容器台81に固定するようにしてサンプル容器75を収納するものである。
【００２９】
そしてこの容器台81は、下部容器台82が容器取付部73に固定され、回転軸85を中心にして上部容器台83を回動させ、この上部容器台83に固定するサンプル容器75を転倒させることができるものであり、図３に示すサンプル容器75の排出バルブ口77から排出される尿を誘導管88に導く流路を、図２には示していないが、各サンプル容器75毎に対応させた各誘導管88の上部ロート口と各サンプル容器75の排出バルブ口77とをつなぐようにこの容器台81を貫通させて形成しているものである。
【００３０】
更に、容器台81の内部には、図示していないが、上部容器台83を回転させる転倒用モータ及び減速歯車や、サンプル容器75の排出バルブ口77に設けたバルブロッドを押し上げるカム及びカム駆動モータ、各誘導管88の下端をスピッツ管ホルダー103に固定した各スピッツ管105の位置に合わせ又はスピッツ管105の口部から外した位置に移動させる誘導管揺動モータを組み込んでいる。
【００３１】
尚、スピッツ管ホルダー103に固定された各スピッツ管105の口部から僅かに離れた位置には、図２には示していないが、誘導管88をスピッツ管105の口部から外した位置としたときの誘導管88の下端位置に合わせて開口するパイプを設け、このパイプは上端の開口から下方に傾斜して下端を洗浄排水室91に開口する洗浄液廃棄パイプとしているものである。
【００３２】
そして、この洗浄排水室91では、容器取付部73の上に正置される各サンプル容器75の上方に補助洗浄ノズル92を設けると共に、上部容器台83を回転させ、サンプル容器75を転倒させたときのサンプル容器75の開口部位置に合わせた容器洗浄ノズル93及び空気ノズル94を設けている。
尚、この尿自動測定装置10では、スピッツ管取出し扉101を開くことにより、各サンプル容器75の直下に位置させて各々のスピッツ管105をスピッツ管ホルダー103に着脱可能としているもので有る。
【００３３】
又、サンプル容器取出し扉71を開くと、サンプル容器取出し扉71はその下端を回動軸としてサンプル容器取出し扉71と容器取付部73が回動し、容器取付部73の上面に固定されている容器台81の上部容器台83にサンプル容器75を装着固定するように取りつけることができるものであり、このサンプル容器75は、図３に示すように、上方を開口する容器であって、底部に排出バルブ口77を有し、排出バルブ口77を貫通するバルブロッドを備えたバルブにより、通常は容器内に納めた液体が漏れないようにされるものである。
【００３４】
従って、この尿自動測定装置10では、カップ挿入扉21を開いて採尿カップ31をカップ挿入扉21の内側に固定し、カップ挿入扉21を閉じると採尿カップ31を転倒させて尿を計量容器41に溜めることができ、容器支持台45に取りつけた感圧素子によって尿重量を測定することができる。
そして、循環ポンプを駆動して採尿管56により計量容器41内の尿を密度比重測定器55に送り、密度比重測定器55により尿比重を測定することができる。
【００３５】
このように、本実施の形態では、超音波測定により比重を測定する密度比重測定器55によって尿比重を測定するため、尿比重を正確に測定することができ、計量容器41に溜めた尿の表面に泡が発生して液面高さを正確に求めることが困難だった従来の尿量測定及び尿比重の算出測定に比較し、高精度の尿比重の測定及び比重と重量からの尿量の算出測定を行うことができる。
【００３６】
又、尿量や尿比重の測定後は、マイクロコンピュータ15により分配制御器64を制御して分配管63の下端を所定の患者用サンプル容器75の上方に位置させて気液両用ポンプである採尿ポンプ65を駆動し、１０ミリリットルなどの所定量の尿をサンプル容器75に移し、バルブ制御器46を駆動して計量容器41の排尿口42を開き、計量容器41内の尿を流下管61から洗浄排水室91に流して廃棄するものである。
【００３７】
その後、分配制御器64を制御して分配管63の下端を廃棄位置に移動させると共に、計量容器41の排尿口42を閉じ、カップ洗浄ノズル28やルーム洗浄ノズル27から洗浄液を噴出させてカップルーム25及び誘導口35を洗浄する。
そして、循環ポンプを駆動して計量容器41内の洗浄液を採尿管56から密度比重測定器55に循環させ、密度比重測定器55の流路を洗浄すると共に、採尿ポンプ65も駆動させ、吸い上げパイプや採尿ポンプ65内の液体流路及び接続管67や分配管63の内部も洗浄する。
【００３８】
尚、分配管63の下端は廃棄位置とされているため、分配管63から流出する洗浄液は、図示していない廃棄管を流下して洗浄排水室91の底部に流れ、排水口97から尿自動測定装置10の外部に排出される。
又、計量容器41の排尿口42を開いたとき、流下管61から洗浄排水室91に落とされる洗浄液も、排水口97から外部に排出される。
【００３９】
そして、この尿自動測定装置10では、バルブ制御器46によって排尿口42を開き、計量容器41内の洗浄液を排出した後も、一定時間だけ採尿ポンプ65の駆動を継続するようにマイクロコンピュータ15による制御を行っている。
このように、気液両用ポンプである採尿ポンプ65の駆動を計量容器41を空にした後も持続させることにより、計量容器41内の空気を吸上げパイプ51や接続管67及び分配管63の内部に流し、吸上げパイプ51、採尿ポンプ65の内部、接続管67や分配管63の内部に残る水滴を排出し、少量の尿を採取してサンプル容器75に送る流路に水分が残らないようにすることができ、尿を薄めたり不純物を混入しないようすることができる。
【００４０】
又、この尿自動測定装置10では、サンプル容器75を洗浄排水室91の内部で回転転倒可能とすると共に、サンプル容器75に排出バルブ口77を設け、排出バルブ口77から流下する尿を誘導管88によってサンプル容器75の直下に取りつけたスピッツ管105に導くことができるようにしている。
従って、マイクロコンピュータ15の制御により、１日に１回だけ、深夜又は早朝の一定時刻になると、先ず、誘導管揺動モータを駆動して誘導管88の下端をスピッツ管ホルダー103に固定したスピッツ管105の口部に位置させ、カム駆動モータを駆動してカムを回転させることにより各サンプル容器75の排出バルブ口77に設けられたバルブロッドを押し上げ、１０ミリリットル乃至２０ミリリットル程度の尿をスピッツ管105に採取するようにしている。
【００４１】
その後、マイクロコンピュータ15の制御により誘導管88の下端をスピッツ管105の口部から外すように誘導管揺動モータを駆動し、再度サンプル容器75の排出バルブ口77を開いてサンプル容器75内に残る尿を廃棄し、補助洗浄ノズル92から洗浄液を噴出させる。
従って、この洗浄液を排出バルブ口77から誘導管88に流下させ、誘導管88内部を洗浄することができ、誘導管88から流下する洗浄液は、図示していない洗浄液廃棄パイプを介して洗浄排水室91に流れ込み、排水口97から尿自動測定装置10の外部に排出される。
【００４２】
そして、補助洗浄ノズル92からの洗浄液の噴出を停止した後、転倒用モータの駆動を開始し、上部容器台83を回転させてサンプル容器75を転倒させ、容器洗浄ノズル93から洗浄液を噴出させてサンプル容器75内を洗浄し、洗浄液の噴出停止後、空気ノズル94から空気を噴出させてサンプル容器75内に残る水滴を吹き飛ばすようにする。
【００４３】
その後、転倒用モータを逆転させて上部容器台83と共にサンプル容器75を元の正常位置に戻して次の尿の採取を行うものである。
尚、誘導管揺動モータに変えてソレノイドを用いて誘導管88を揺動させることもあり、又、誘導管揺動モータやソレノイドも省略し、排出バルブ口77に設けられたバルブロッドを押し上げるカムと連動するカム機構を用いて誘導管88を揺動させることももある。
【００４４】
このように、バルブロッドと誘導管88とをカムにより駆動する場合は、カム機構が多少複雑となるも、１つのカム駆動用モータにより誘導管88の位置と合わせて排出バルブ口77の開閉を制御することができる。
又、サンプル容器75から１０ミリリットル乃至２０ミリリットル程度の尿をスピッツ管105に採取した後、マイクロコンピュータ15の制御により誘導管88の下端をスピッツ管105の口部から外すように誘導管揺動モータを駆動すると共に転倒用モータの駆動を開始し、上部容器台83を回転させてサンプル容器75を転倒させ、サンプル容器75内に残った尿を洗浄排水室91に流して廃棄することも有る。この場合は、更に転倒用モータを逆転させて上部容器台83と共にサンプル容器75を元の正常位置に戻し、再度カム駆動モータを駆動して排出バルブ口77を開放状態とし、補助洗浄ノズル92から洗浄液を噴出させる。
【００４５】
従って、この洗浄液を排出バルブ口77から誘導管88に流下させ、誘導管88内部を洗浄することができる。
そして、この場合は、転倒用モータを駆動して再度サンプル容器75を転倒させ、容器洗浄ノズル93から洗浄液を噴出させてサンプル容器75内を洗浄し、洗浄液の噴出停止後、空気ノズル94から空気を噴出させてサンプル容器75内に残る水滴を吹き飛ばすようにするものである。
【００４６】
このように、サンプル容器75を転倒させた状態で洗浄液を吹き付けてサンプル容器75を洗浄し、更に圧縮空気を吹き付ける故、サンプル容器75内に水滴や水分を残留させないようすることができ、水滴や水分の残留しないサンプル容器75を正立させて次の尿サンプルを蓄える故、サンプル容器75に蓄える尿に他の液体が混入して尿が薄くなったり不純物を含むことを防止できる。
【００４７】
尚、このスピッツ管105への尿の採取やサンプル容器75の転倒及び洗浄はマイクロコンピュータ15のタイマー機能によって開始するも、この尿の採取やサンプル容器75の洗浄に際しては、スピッツ管105の有無の検出を行い、マイクロコンピュータ15に登録されている患者の数とスピッツ管105の数に合わせて各サンプル容器75からの採取やサンプル容器75の洗浄を同時に行うものであり、スピッツ管105の欠落やその他の異常が発生したときは、ナースセンターなどに設ける親機である中央コンピュータに異常を通知し、又、スピッツ管105への採取及びサンプル容器75の洗浄開始に際しては、液晶パネル17に表示して利用しようとする者に注意を与えるようにしている。
【００４８】
このように、本実施の形態に係る尿自動測定装置10では、患者の排尿時毎に尿比重や尿量を患者毎に測定及び記録することができると共に、毎回の測定時に少量のサンプルを患者毎に残して１日分の尿を蓄積するサンプル容器75を備え、このサンプル容器75の他、精密測定に必要な少量だけをサンプル容器75から自動採取するスピッツ管105も内蔵し、又、サンプル容器75を転倒させて１日分の尿を廃棄し且つサンプル容器75を洗浄することもタイマー機能を利用して自動的に行うことを可能としているため、深夜や早朝にサンプル容器75からスピッツ管105に必要量だけ移して利用者の少ない深夜や早朝にサンプル用に蓄えた１日分の尿を自動廃棄し、新たな１日分の蓄積を行うことができる。
【００４９】
従って、スピッツ管105に採取した尿サンプルは、午前中又は昼間などに順次回収して各患者の病状に合わせた精密検査を行うことができ、使用者に不便を感じさせることが少なく、且つ、病院関係者の作業負担などを軽減することができるものである。
尚、この尿自動測定装置10は、図２に示したように、内部に脱臭フィルタ111を設け、このフィルタに尿自動測定装置10内の空気を送るファン115を更に脱臭フィルタ111と組合せて取付けており、尿自動測定装置10内の空気を常に脱臭フィルタ111を通過させることにより尿自動測定装置10内の臭いを脱臭フィルタ111に吸着させ、装置内部及び周辺に異臭が生じないようにしている。
【００５０】
【発明の効果】
請求項１に記載した本願発明は、一定時刻になると尿の一部をスピッツ管に残してサンプル容器を自動的に洗浄する尿自動測定装置であるから、人手を掛けずに深夜や早朝にサンプル容器を洗浄して翌日分の採尿を行うことができる。
又、請求項２に記載した本願発明は、サンプル容器の転倒位置に合わせって容器洗浄ノズルと空気ノズルとを備えているため、サンプル容器を転倒させて洗浄し、洗浄後に水滴が残らないように転倒させたサンプル容器内の水分を空気で吹き飛ばすことができ、洗浄液などの不要な水分の残らないサンプル容器に尿サンプルを溜めて正確な精密測定が可能な尿サンプルを採取することができる。
【００５１】
そして、請求項３に記載した本願発明は、気液両用ポンプを採尿ポンプとして計量容器からサンプル容器に採尿する方法であり、計量容器からサンプル容器に尿を採取した後、洗浄液を計量容器から吸込んで流路を洗浄し、その後、空気を計量容器から吸い込む採尿方法であるから、尿サンプルの採取後、洗浄を行い且つ洗浄液を空気により流路から排出するため、続けて尿サンプルを採取する場合にも流路内を乾燥させて尿サンプルに洗浄液などの不純物を混入させずにサンプル容器に尿サンプルを溜めることができる。
【図面の簡単な説明】
【図１】本発明に係る尿自動測定装置の一例を示す正面図。
【図２】本発明に係る尿自動測定装置の一例を示す内部構造概略側面図。
【図３】本発明に係る尿自動測定装置に用いるサンプル容器の一例を示す図。
【図４】従来の尿自動測定装置の一例を示す正面図。
【図５】従来の尿自動測定装置の一例を示す内部構造概略側面図。
【符号の説明】
１０  尿自動測定装置
１５  マイクロコンピュータ            １７  液晶パネル
２１  カップ挿入扉                    ２３  カップホルダー
２５  カップルーム                    ２７  ルーム洗浄ノズル
２８  カップ洗浄ノズル                ３１  採尿カップ
３５  誘導口                          ４１  計量容器
４２  排尿口                          ４５  容器支持台
４６  バルブ制御器                    ４７  液面測定器
４８  測定端子                        ５１  吸上げパイプ
５２  吸込み口                        ５５  密度比重測定器
５６  採尿管                          ６１  流下管
６３  分配管                          ６４  分配制御器
６５  採尿ポンプ                      ６７  接続管
７１  サンプル容器取出し扉            ７３  容器取付部
７５  サンプル容器                    ７７  排出バルブ口
８１  容器台                          ８２  下部容器台
６３  上部容器台                      ８５  回転軸
８８  誘導管                          ９１  洗浄排水室
９２  補助洗浄ノズル                  ９３  容器洗浄ノズル
９４  空気ノズル                      ９７  排水口
１０１  スピッツ管取出し扉            １０３  スピッツ管ホルダー
１０５  スピッツ管                    １１１  脱臭フィルタ
１１５  ファン
【図１】
0004694732.tif 000002
【図２】
0004694732.tif 000003
【図３】
0004694732.tif 000004
【図４】
0004694732.tif 000005
【図５】
0004694732.tif 000006